(57)【要約】【課題】ロータリシャッタによる開口部の開閉の信頼性の向上を図る。【解決手段】下シャッタ部材７Ｄが、中心孔４ａに挿入される略円筒状の軸筒部１１を有し、下シェル４が、中心孔４ａの縁部に軸筒部１１が摺動する複数の凸部１５を有する。【選択図】    図４
2004288312.tif 000002
【特許請求の範囲】
【請求項１】
上下シェルを備えた扁平なハウジング内に、中心部がセンタコアに固定されたディスク状の情報記録媒体を回転自在に収容してなるディスクカートリッジであって、前記ハウジングが、前記センタコアを外部に臨ませる前記下シェルに形成された中心孔と、ディスクドライブが備えている記録再生ヘッドを前記情報記録媒体の表面にアクセスさせるための開口部と、該開口部を開閉するロータリシャッタとを備え、該ロータリシャッタが、前記上シェルに回転可能に保持された上シャッタ部材と、前記下シェルに回転可能に軸支された下シャッタ部材とによって構成されてなるディスクカートリッジにおいて、
前記下シャッタ部材が、前記中心孔に挿入される略円筒状の軸筒部を有し、
前記下シェルが、前記中心孔の縁部に前記軸筒部が摺動する複数の凸部を有するものであることを特徴とするディスクカートリッジ。
【請求項２】
前記複数の凸部が、前記中心孔の縁部を略波状にすることにより形成されているものであることを特徴とする請求項１に記載のディスクカートリッジ。
【請求項３】
前記下シャッタ部材が、前記軸筒部の先端に該下シャッタ部材を前記下シェルに回転可能に保持させるためのカシメ部を備え、前記下シェルが、前記カシメ部を収容するための段部を有し、前記カシメ部の先端の段部に対向する上面側が、面取りされているものであることを特徴とする請求項１または請求項２に記載のディスクカートリッジ。
【請求項４】
上下シェルを備えた扁平なハウジング内に、中心部がセンタコアに固定されたディスク状の情報記録媒体を回転自在に収容してなるディスクカートリッジであって、前記ハウジングが、前記センタコアを外部に臨ませる前記下シェルに形成された中心孔と、ディスクドライブが備えている記録再生ヘッドを前記情報記録媒体の表面にアクセスさせるための開口部と、該開口部を開閉するロータリシャッタとを備え、該ロータリシャッタが、前記上シェルに回転可能に保持された上シャッタ部材と、前記下シェルに回転可能に軸支された下シャッタ部材とによって構成されてなるディスクカートリッジにおいて、
前記下シェルが、前記中心孔の縁部に沿って上方に突出した略円筒状の軸筒部を有し、
前記下シャッタ部材が、前記軸筒部が挿入される、前記軸筒部に摺動する複数の凸部を縁部に形成された挿入穴を有するものであることを特徴とするディスクカートリッジ。
【請求項５】
前記複数の凸部が、前記挿入穴の縁部を略波状にすることにより形成されているものであることを特徴とする請求項４に記載のディスクカートリッジ。
【発明の詳細な説明】
【０００１】
【発明の属する技術分野】
本発明は、ディスク状の情報記録媒体を回転可能に収容するディスクカートリッジに関するものであり、特に下シェルと下シャッタ部材との摺動部分の構造に関するものである。
【０００２】
【従来の技術】
従来、デジタルカメラ等のモバイル機器においては、記録媒体として例えば「ｃｌｉｋ！（登録商標）」と呼ばれる超小型の磁気ディスクカートリッジが使用されている（たとえば特許文献１、２参照）。ここで、図７は従来の「ｃｌｉｋ！（登録商標）」と呼ばれる超小型の磁気ディスクカートリッジの一例を示す。図７のディスクカートリッジ１は、たとえば幅５０ｍｍ、奥行き５５ｍｍ、厚さ１．９５ｍｍの扁平な金属薄板からなる上下シェル３、４を備えたハウジング内に、４０ＭＢの記憶容量を有する直径約１．８インチ（４６．５ｍｍ）の磁気ディスクからなる情報記録媒体５を回転自在に収容したものである。
【０００３】
この上シェル３と下シェル４には、ディスクドライブの記録再生ヘッドが情報記録媒体５にアクセスするための図示しない開口部が設けられており、下シェル４の中心部には、情報記録媒体５の中心に設けられたセンタコア１０を外部に臨ませるための中心孔４ａが形成されている。また、上下シェル３、４内には開口部を開閉するためのロータリシャッタ７が設けられている。
【０００４】
ロータリシャッタ７は、上シャッタ部材７Ｕと下シャッタ部材７Ｄとからなり、この上シャッタ部材７Ｕと下シャッタ部材７Ｄとは係合されている。上シャッタ部材７Ｕの情報記録媒体５に対向する対向面には、情報記録媒体５の表面に付着した汚れを払拭するための上ライナ８Ｕが貼り付けられている。同様に、下シャッタ部材７Ｄの情報記録媒体５に対向する対向面には下ライナ８Ｄが貼り付けられている。
【０００５】
上シャッタ部材７Ｕは上シェル３に形成された円筒体３ａによって回転可能に軸支されている。円筒体３ａの先端には上シャッタ部材７Ｕの円筒体からの抜出しを防止するためのセンタピンと呼ばれる抜止め部材９が溶接により固定されている。
【０００６】
一方、下シャッタ部材７Ｄには中心孔４ａの周囲に下方に向かって突出した軸筒部１１が設けられており、軸筒部１１が中心孔４ａに挿入されることにより回転可能に軸支されている。また、軸筒部１１の先端にカシメ加工が施されることにより抜け止め用のカシメ部１２が形成されており、カシメ部１２により下シャッタ部材７Ｄが下シェル４に対して保持されている。
【０００７】
ここで、軸筒部１１の外径は略円周状に形成された中心孔４ａの円周と略同一となるように形成されている。よって、下シャッタ部材７Ｄが下シェル４に対して回転する際には、中心孔４ａの外周全体が軸筒部１１の外面と摺動しながら回転することになる。
【０００８】
【特許文献１】
米国特許第６１３３５４４号公報
【０００９】
【特許文献２】
米国特許第５９９５３４６号公報
【００１０】
【発明が解決しようとする課題】
ところで、下シャッタ部材７Ｄをスムーズに回転移動させるためには、軸筒部１１と中心孔４ａとの摺動抵抗が小さいものであることが好ましい。一方で、たとえば軸筒部１１と中心孔４ａの間に隙間を設けて摺動抵抗の低減させることも考えられるが、下シャッタ部材７Ｄが正しく回転移動することができなくなり、ロータリシャッター７の開閉動作が不安定になってしまうという問題がある。
【００１１】
そこで、本発明は、ロータリシャッタによる開口部の開閉の信頼性の向上を図ることができるディスクカートリッジを提供することを目的とするものである。
【００１２】
【課題を解決するための手段】
本発明のディスクカートリッジは、上下シェルを備えた扁平なハウジング内に、中心部がセンタコアに固定されたディスク状の情報記録媒体を回転自在に収容してなるディスクカートリッジであって、前記ハウジングが、前記センタコアを外部に臨ませる前記下シェルに形成された中心孔と、ディスクドライブが備えている記録再生ヘッドを前記情報記録媒体の表面にアクセスさせるための開口部と、該開口部を開閉するロータリシャッタとを備え、該ロータリシャッタが、前記上シェルに回転可能に保持された上シャッタ部材と、前記下シェルに回転可能に軸支された下シャッタ部材とによって構成されてなるディスクカートリッジにおいて、前記下シャッタ部材が、前記中心孔に挿入される略円筒状の軸筒部を有し、前記下シェルが、前記中心孔の縁部に前記軸筒部に摺動する複数の凸部を有するものであることを特徴とするものである。
【００１３】
ここで、下シャッタ部材は下シェルに対して回転可能に軸支されていてもよいし、回転可能に保持されていてもよい。
【００１４】
また、複数の凸部は、軸筒部が摺動することにより下シャッタ部材の回転支持をするものであればよく、たとえば中心孔の周方向に等間隔で離間したものである。
【００１５】
さらに、中心孔の縁部に複数の凸部が形成されていればよく、中心孔の縁部を略波状にすることにより複数の凸部を形成するようにしてもよい。
【００１６】
さらに、下シャッタ部材は、軸筒部の先端に下シャッタ部材を下シェルに回転可能に保持させるためのカシメ部を備えたものであってもよい。このとき、下シェルは、カシメ部を収容するための段部を有し、カシメ部の先端の段部に対向する上面側が面取りされているものが好ましい。
【００１７】
また、本発明のディスクカートリッジは、上下シェルを備えた扁平なハウジング内に、中心部がセンタコアに固定されたディスク状の情報記録媒体を回転自在に収容してなるディスクカートリッジであって、前記ハウジングが、前記センタコアを外部に臨ませる前記下シェルに形成された中心孔と、ディスクドライブが備えている記録再生ヘッドを前記情報記録媒体の表面にアクセスさせるための開口部と、該開口部を開閉するロータリシャッタとを備え、該ロータリシャッタが、前記上シェルに回転可能に保持された上シャッタ部材と、前記下シェルに回転可能に軸支された下シャッタ部材とによって構成されてなるディスクカートリッジにおいて、下シェルが、中心孔の縁部に沿って上方に突出した略円筒状の軸筒部を有し、下シャッタ部材が、軸筒部が挿入される、軸筒部に摺動する複数の凸部を縁部に形成された挿入穴を有するものであることを特徴とするものである。
【００１８】
【発明の効果】
本発明のディスクカートリッジによれば、下シャッタ部材が、中心孔に挿入される略円筒状の軸筒部を有し、下シェルが、中心孔の縁部に軸筒部に摺動する複数の凸部を有することにより、ロータリシャッタが回転移動する際に、軸筒部が中心孔の複数の凸部のみに摺動するため、下シャッタ部材と下シェルとの摺動抵抗を小さくすることができ、ロータリシャッタの開閉動作の信頼性を向上させることができる。
【００１９】
なお、複数の凸部が、中心孔の縁部が、略波状に形成されることにより凸部を設けるようにすれば、凸部の先端形状が略円弧状になるため、凸部と軸筒部との間に生じる摺動抵抗を小さくすることができ、よりロータリシャッタの開閉動作の信頼性をより高めることができる。
【００２０】
さらに、カシメ部の下シャッタ部材側の角が面取りされているものであれば、カシメ部と段部との摺動抵抗を小さくすることができ、よりロータリシャッタの開閉動作の信頼性をより高めることができる。
【００２１】
また、本発明のディスクカートリッジによれば、下シェルが、中心孔の縁部に沿って上方に突出した略円筒状の軸筒部を有し、下シャッタ部材が、軸筒部が挿入される、軸筒部が摺動する複数の凸部を縁部に形成された挿入穴を有することにより、ロータリシャッタが回転移動する際に、軸筒部に挿入穴の凸部のみに摺動するため、下シャッタ部材と下シェルとの摺動抵抗を小さくすることができ、ロータリシャッタの開閉動作の信頼性を向上させることができる。
【００２２】
【発明の実施の形態】
以下、本発明のディスクカートリッジの実施の形態について、図面を参照して詳細に説明する。なお、図１（ａ）、（ｂ）、（ｃ）にそのロータリシャッタ７が閉状態にある平面図、側面図および底面図を、図２（ａ）、（ｂ）にロータリシャッタ７が開状態にある平面図および底面図をそれぞれ示している。
【００２３】
このディスクカートリッジ１は、押込み部２ａを含む樹脂製の通常スタビライザと呼ばれるフレーム２と、金属薄板からなる上下シェル３、４とによって構成された、幅５０ｍｍ、奥行き５５ｍｍ、厚さ１．９５ｍｍの扁平なハウジング内に、４０ＭＢの記憶容量を有する直径約１．８インチ（４６．５ｍｍ）のディスク状の情報記録媒体５を回転自在に収容したものである。この情報記録媒体５は、フレキシブルな円盤状の情報記録媒体５と、情報記録媒体５の中心に設けられたセンタコア１０とを備えている。
【００２４】
また、ハウジングは、ディスクドライブの磁気ヘッドを情報記録媒体５の表面にアクセスさせるためのＶ字状の開口部６と、この開口部６を開閉するためのロータリシャッタ７とを備えている。そして、ディスクドライブが情報記録媒体５に対して情報の記録再生を行うときには、ロータリシャッタ７が開き、開口部６から磁気ヘッドが挿入されるようになっている。一方、ディスクドライブから取り出されたときに開口部６から埃等が入り込まないようにするため、ロータリシャッタ７が閉じて開口部６を塞ぐようになっている。
【００２５】
さらに、ハウジングの下シェル４には、情報記録媒体５のセンタコア１０を外部に臨ませる円形の中心孔４ａと、ロータリシャッタ７と同心的な円弧状溝４ｂとが形成され、ロータリシャッタ７（下シャッタ部材７Ｄ）には、上記円弧状溝４ｂから突出し、かつこの円弧状溝４ｂに沿って移動してロータリシャッタ７を開閉するシャッタノブ７ｂが固設されている。そして、ディスクカートリッジ１がディスクドライブに装填されたときに、ディスクドライブの回転駆動源が中心孔４ａから露出したセンターコア１０を保持し、情報記録媒体５を回転駆動させるようになっている。
【００２６】
図３は図１のディスクカートリッジ１の断面図を示している。図３において、ロータリシャッタ７は互いに係合された上下のシャッタ部材７Ｕ、７Ｄからなり、上下シャッタ部材７Ｕ、７Ｄと情報記録媒体５との間にはそれぞれ上下ライナ８Ｕ、８Ｄが介挿されている。
【００２７】
ここで、上シャッタ部材７Ｕは、上シェル３に設けられた円筒体３ａが挿入されることにより軸支されており、円筒体３ａの先端に設けられた上シャッタ部材７Ｕの抜出しを防止するためのセンタピンと呼ばれる抜止め部材９が溶接により保持されている。これにより、上シャッタ部材７Ｕは上シェル３に対して回転可能に保持された状態になっている。
【００２８】
一方、下シャッタ部材７Ｄは、中心孔４ａに挿入される略円筒状の軸筒部１１を有し、軸筒部１１が中心孔４ａに挿入されることにより軸支されている。また、軸筒部１１の先端にはカシメ加工によるカシメ部１２が設けられており、下シャッタ部材７Ｄはこのカシメ部１２により下シェル４に保持されている。これにより、下シャッタ部材７Ｄは下シェル４に対して回転可能に保持された状態になっている。
【００２９】
また、下シェル４にはカシメ部１２を収容するための段部４Ｒが設けられている。これは、カシメ部１２が下シェル４から突出するのを防止するためである。ここで、カシメ部１２における段部４Ｒに対向する上面側は面取りされている。このカシメ部１２の面取り部分は、たとえば下シャッタ部材７Ｄとなる金属板をプレス加工して打ち抜いたときに発生するダレにより形成してもよいし、もしくはプレス加工により打ち抜いた後にＲ形状の金型を押し付けることにより形成してもよい。これにより、カシメ部１２が下シェル４に摺動したときの摺動抵抗を小さくすることができる。
【００３０】
図４は下シェル４の中心孔４ａの形状を示す平面図である。図４の中心孔４ａの縁部には複数の凸部１５が形成されており、複数の凸部１５は、先端を結んだ円の外径が軸筒部１１の外径と略同一になっている。よって、下シャッタ部材７Ｄが回転する際に軸筒部１１と摺動するのは複数の凸部１５の先端部分のみとなり、従来のディスクカートリッジのように、中心孔４ａの縁部全周にわたって摺動する場合に比べて摺動抵抗を小さくすることができ、ロータリシャッタ７の開閉信頼性を高めることができる。
【００３１】
なお、図４においては、４つの凸部１５がそれぞれ対称的な位置に形成されるようにたとえば略９０度ずつ位相をずらした状態で設けられているが、２つの凸部が対称となる位置に設けられていてもよいし、３つの凸部１５がそれぞれ１２０度ずつ位相がずれた状態で形成されるようにしてもよい。
【００３２】
さらに、複数の凸部１５は、中心孔４ａの縁部を略波状にすることにより形成されており、凸部１５の先端が略円弧状に形成されている。これにより、軸筒部１１と複数の凸部１５との摺動抵抗をも小さくすることができるため、よりロータリシャッタ７の開閉信頼性を高めることができる。
【００３３】
図５は本発明のディスクカートリッジの第２の実施の形態を示す構成図であり、図５を参照してディスクカートリッジ２０について説明する。なお、図５のディスクカートリッジ２０において、図３のディスクカートリッジ１と同一の構成を有する部位には同一の符号を付してその説明を省略する。
【００３４】
図５のディスクカートリッジ２０が図１のディスクカートリッジと異なる点は、軸筒部およびカシメ部の構造である。図５のディスクカートリッジ２０において、軸筒部２１が下シェル４側に設けられており、軸筒部２１は下シェル４のハウジング内部に向かって突出するように設けられている。また、下シャッタ部材７Ｄには軸筒部１１に挿入される挿入穴２７Ｄａが形成されており、下シャッタ部材７Ｄが軸筒部１１に軸支された構造になっている。さらに、軸筒部１１の先端にはカシメ加工によるカシメ部１２が設けられており、カシメ部１２により下シャッタ部材７Ｄが下シェル４に保持されている。
【００３５】
ここで、図６に示すように、下シャッタ部材７Ｄの挿入穴２７Ｄａ縁部に、複数の凸部１５が設けられている。すると、下シャッタ部材７Ｄが回転する際に軸筒部１１と摺動するのは凸部１５の先端部分のみとなる。したがって、従来のディスクカートリッジのように、中心孔４ａの縁部全周にわたって摺動する場合に比べて摺動抵抗を小さくすることができ、ロータリシャッタ７の開閉信頼性を高めることができる。
【００３６】
なお、図５においては、カシメ部１２が下シェル４の外側に設けられていないため、下シェル４側にカシメ部１２を収容するための段部が不要であるため、カシメ部１２を面取り加工（図３参照）をする必要がない。また、図６においては、４つの凸部１５がそれぞれ対称的な位置に形成されるようにたとえば略９０度ずつ位相をずらした状態で設けられているが、２つの凸部が対称となる位置に設けられていてもよいし、３つの凸部１５がそれぞれ１２０度ずつ位相がずれた状態で形成されるようにしてもよい。
【００３７】
上記各実施の形態によれば、図３に示すように、下シャッタ部材７Ｄが、中心孔４ａに挿入される略円筒状の軸筒部１１を有し、下シェル４が、中心孔４ａの縁部に軸筒部１１に摺動する複数の凸部１５を有することにより、ロータリシャッタ７が回転移動する際に、軸筒部１１が中心孔４ａの縁部の複数の凸部１５のみに摺動するため、下シャッタ部材７Ｄと下シェル４との摺動抵抗を小さくすることができ、ロータリシャッタ７の開閉動作の信頼性を向上させることができる。
【００３８】
同様に、図５に示すように下シェル４側に軸筒部１１を設け、下シャッタ部材７Ｄ側に設けられた軸筒部１１が挿入される挿入穴７Ｈの縁部が複数の凸部１５を有するものであっても、ロータリシャッタ７が回転移動する際に、軸筒部１１が挿入穴２７Ｄａの縁部の複数の凸部１５のみに摺動するため、下シャッタ部材７Ｄと下シェル４との摺動抵抗を小さくすることができ、ロータリシャッタ７の開閉動作の信頼性を向上させることができる。
【００３９】
また、複数の凸部１５が中心孔４ａの縁部を略波状にすることにより形成されるようにすれば、凸部１５の先端形状が略円弧状に突出したものとなるため、凸部１５と軸筒部との間に生じる摺動抵抗を小さくすることができ、よりロータリシャッタ７の開閉動作の信頼性をより高めることができる。
【００４０】
さらに、カシメ部１２の下シャッタ部材７Ｄ側の角が面取りされているものであれば、カシメ部１２と段部４Ｒとの摺動抵抗を小さくすることができる。
【００４１】
本発明の実施の形態は、上記実施の形態に限定されない。たとえば、複数の凸部１５は、平面視において略円弧状に形成されているが（図４、図６参照）、断面視において略円弧状に形成されていてもよい。この場合であっても、軸筒部１１と中心孔４ａもしくは挿入穴２７Ｄａの摺動抵抗を小さくすることができるため、ロータリシャッタ７の開閉の信頼性を高めることができる。
【図面の簡単な説明】
【図１】本発明のディスクカートリッジの好ましい実施の形態におけるロータリシャッタが閉状態にある状態を示す平面図および底面図
【図２】本発明のディスクカートリッジの好ましい実施の形態におけるロータリシャッタが開状態にある状態を示す平面図および底面図
【図３】図３のディスクカートリッジの断面を示す図
【図４】図１のディスクカートリッジにおける下シェルの中心孔を示す平面図
【図５】本発明のディスクカートリッジの第２の実施の形態を示す模式図
【図６】図１のディスクカートリッジにおける下シャッタ部材の挿入穴を示す平面図
【図７】従来のディスクカートリッジの一例を示す模式図
【符号の説明】
１、２０        ディスクカートリッジ
３      上シェル
４      下シェル
４ａ    中心孔
４Ｒ    段部
５      情報記録媒体
６      開口部
７      ロータリシャッタ
７Ｕ    上シャッタ部材
７Ｄ    下シャッタ部材
７Ｄａ  挿入穴
７Ｈ    挿入穴
１０    センタコア
１１、２１      軸筒部
１２    カシメ部
１５    凸部
２７Ｄａ        挿入穴
【図１】
2004288312.tif 000003
【図２】
2004288312.tif 000004
【図３】
2004288312.tif 000005
【図４】
2004288312.tif 000006
【図５】
2004288312.tif 000007
【図６】
2004288312.tif 000008
【図７】
2004288312.tif 000009